(57)【要約】  記録媒体が内蔵されたカードであって使用済みのものを再利用する方法を提案するものである。  カード処理装置１は、コンベア装置２を主体とするものであり、その上流端に被処理カード溜め部３が設けられ、下流に処理済カード溜め部５が設けられている。中間部には、粗加工ロール６と、仕上げロール７が設けられている。カード１０は、コンベア装置２上を走行し、粗加工ロール６によって表面の図柄等が削り取られる。再生したカード１０を使用する場合には、使用に先立って表面に必要な表示を描く。
2007069476.tif 000002
【特許請求の範囲】
【請求項１】
記録機能を備えた部材が内蔵され、表面に文字又は図形が表示されたカードを再生利用する方法であって、カードの前記文字又は図形を除去又は隠蔽する工程を有することを特徴とするカード再生方法。
【請求項２】
カードの表面を切削又は研削することによってカードの前記文字又は図形を除去することを特徴とする請求項１に記載のカード再生方法。
【請求項３】
カードの表面を擦ることによってカードの前記文字又は図形を除去することを特徴とする請求項１に記載のカード再生方法。
【請求項４】
カードの表面に他の層を積層することによってカードの前記文字又は図形を隠蔽することを特徴とする請求項１に記載のカード再生方法。
【請求項５】
カードの表面に新たに表示を設ける工程を有することを特徴とする請求項１乃至４のいずれかに記載のカード再生方法。
【請求項６】
記録機能を備えた部材の記録内容を変更する工程を有することを特徴とする請求項１乃至５のいずれかに記載のカード再生方法。
【請求項７】
コンベア装置と、被処理カード溜め部と、処理済カード溜め部と、切削又は研削手段を有し、前記被処理カード溜め部はコンベア装置の上流側に設けられ、前記処理済カード溜め部はコンベア装置の下流側にあり、前記切削又は研削手段は前記被処理カード溜め部と処理済カード溜め部の間に設けられていることを特徴とするカード処理装置。
【請求項８】
前記切削又は研削手段と、前記処理済カード溜め部の間に、新たな表示を付与する表示付与手段を設けたことを特徴とする請求項７に記載のカード処理装置。
【請求項９】
コンベア装置と、被処理カード溜め部と、処理済カード溜め部と、表示付与手段とを有し、前記被処理カード溜め部はコンベア装置の上流側に設けられ、前記処理済カード溜め部はコンベア装置の下流側にあり、前記表示付与手段は前記被処理カード溜め部と処理済カード溜め部の間に設けられていることを特徴とするカード処理装置。
【請求項１０】
前記表示付与手段は、カード表面に新たな表示を含む層を貼付することを特徴とする請求項８又は９に記載のカード処理装置。
【発明の詳細な説明】
【技術分野】
【０００１】
本発明は、クレジットカードやＩＤカード（身分証明書）あるいは交通機関の定期券等の記録媒体を内蔵するカードの再利用方法に関するものである。また本発明は、使用済みのカードを再生させたり破壊するのに使用することができる処理装置に関するものである。
【背景技術】
【０００２】
クレジットカードや、ＩＤカード、プリペイドカード、あるいは交通機関の定期券等には記録媒体が内蔵されている。近年、これらのカードの多機能化の要請から、より記録容量の大きい記録媒体が内蔵される傾向にある。さらに、近年ではＩＣチップが埋め込まれた構造のカードが増えている。
また前述の各種カードにも、ＩＣチップが埋め込まれたものが普及している。これらのカードは、旧来のものに比べて多機能であり、製造するには高度な設備とノウハウが必要であり、製造コストも高くつく。
このようなＩＣチップを供えたカードが、例えば、特許文献１に開示されている。特許文献１には、ＩＣカードアプリケーションの再利用搭載方法の発明が開示されている。
【特許文献１】特開２００２−１４０６６５号公報
【発明の開示】
【発明が解決しようとする課題】
【０００３】
特許文献１に開示されているＩＣカードアプリケーションの再利用搭載方法の発明では、ＩＣカードに記録された各種のアプリケーションを削除する際に、削除する直前のアプリケーションの環境情報（利用する毎に蓄積されるポイント数等）をサーバ等の別の装置に記憶させる。そして、このＩＣカードに、同じアプリケーションを再登録する際には、前回削除時の環境を復元してアプリケーションを利用することができるようにするものである。
近年のカードは、このような高度な技術が駆使され、この傾向は今後も続くものと予想される。
ところで、交通機関の定期券の再利用方法について検討すると、旧来の磁気カード構造の定期券では、これを粉砕して樹脂原料として再利用する方法があった。
これに対してＩＣチップが埋め込まれた定期券は、ＩＣチップの部位に金属が含まれるため、粉砕したときに樹脂以外のものが混在してしまう。よって、回収物の樹脂原料としての利用価値は低い。そのためＩＣチップが埋め込まれたカードは、再利用されることなく廃棄処分されているのが現状である。
よって、ＩＣチップが埋め込まれたカードは、高度な設備とノウハウとを活用して製造されたにも係わらず、有効な再利用方法は知られていない。
ちなみに、特許文献１に開示されている発明を実施しても、カードの表面の表示を変更することはできない。そのため、アプリケーションの削除や登録（再記録）ができたとしても、カード自体を全く別目的で使用することはできない。すなわち、カードに記録された情報と、カードの表面の表示とを一致させて、使用者が識別できるようにカードを再生利用することはできない。【０００４】
そこで本発明は、従来技術の上記した問題点に注目し、記録媒体が内蔵されたカードであって使用済みのものを再利用する方法と、このような方法を利用してカードを再生するカード処理装置を提供することを目的としている。
【課題を解決するための手段】
【０００５】
そして上記した課題を解決するための本発明は、記録機能を備えた部材が内蔵され、表面に文字又は図形が表示されたカードを再生利用する方法であって、カードの前記表示を除去又は隠蔽する工程を有することを特徴とするカード再生方法である。【０００６】
本発明のカード再生方法は、カードの表示を除去又は隠蔽する工程を有する。即ち定期券やプリペイドカードには、発行会社名や、カード所有者の氏名、写真等が印刷されている。そこで本発明では、これらの表示を消すこととした。表示が除去等されたカードは、表面に何らの表示や表記のないものとなる。そのためカードの表面に新たに印刷する等により、古いカードを新たなカードとしてそのまま再利用することができる。【０００７】
本発明のカード再生方法は、カードの表面を切削又は研削することによってカードの前記文字又は図形を除去することを特徴とする。【０００８】
本発明のカード再生方法では、カードの表面を切削又は研削する。その結果、カードの表面が薄く削り取られ、カード表面の文字又は図形が消える。【０００９】
本発明のカード再生方法は、カードの表面を擦ることによってカードの前記文字又は図形を除去することを特徴とする。【００１０】
本発明のカード再生方法では、カードの表面を擦る。その結果、カードの表面の文字又は図形が薄くなり、さらには消える。【００１１】
本発明のカード再生方法は、カードの表面に他の層を積層することによってカードの前記文字又は図形を隠蔽することを特徴とする。【００１２】
本発明では、カードの表面に他の層を積層することによってカードの前記文字又は図形を除去する。表面に積層する層は、例えば樹脂フィルムや紙の層である。また樹脂フィルムや紙に予め印刷等が施されていてもよい。【００１３】
本発明のカード再生方法は、前述の発明に加えて、カードの表面に新たに表示を設ける工程を有することを特徴とする。【００１４】
カードの表面に新たに表示を設けるための方策としては、印刷や、転写等が考えられる。この新たな表示を設けることによって、元の文字又は図形が上書きされる。新たな表示とは、元の文字又は図形とは別の文字又は図形である。【００１５】
本発明のカード再生方法は、前述の発明に加えて、記録機能を備えた部材の記録内容を変更する工程を有することを特徴とする。【００１６】
本発明は例えばクレジットカードの様に個人を特定する情報が記録されたカードを再生する場合に適する構成である。
本発明によると、先の記録内容が変更され、新たな使用者の情報が記録される。【００１７】
また本発明のカード処理装置は、コンベア装置と、被処理カード溜め部と、処理済カード溜め部と、切削又は研削手段を有し、前記被処理カード溜め部はコンベア装置の上流側に設けられ、前記処理済カード溜め部はコンベア装置の下流側にあり、前記切削又は研削手段は前記被処理カード溜め部と処理済カード溜め部の間に設けられていることを特徴とする。【００１８】
本発明のカード処理装置を使用する際には、コンベア装置の上流側に設けられた被処理カード溜め部に使用済みのカードをストックし、被処理カード溜め部からコンベア装置上にカードを排出させる。カードは、コンベア装置によって下流側に運搬され、処理済カード溜め部に至るが、その間に切削手段等によって表面側又は裏面側が削られる。
本発明のカード処理装置は、カードを再生利用する場合と、破壊する場合に使用することができる。即ちカードを再生利用する場合には、切り込み量を少なくする。そうすることにより、カード表面の表示や塗膜層等だけを削り取ることができる。また、カードを破壊する場合には、切り込み量を大きく設定する。これにより、内蔵されるＩＣチップ等の記録部材を物理的に破壊することができる。【００１９】
本発明のカード処理装置において、切削又は研削手段と、処理済カード溜め部の間に、新たな表示を付与する表示付与手段を設けてもよい。【００２０】
これにより、表面を削ったカードに、新たな表示を付与することができるようになる。よって、カード使用者は、再生されたカードを識別することができ、間違いなく新たな用途で使用できるようになる。【００２１】
本発明のカード処理装置は、コンベア装置と、被処理カード溜め部と、処理済カード溜め部と、表示付与手段とを有し、前記被処理カード溜め部はコンベア装置の上流側に設けられ、前記処理済カード溜め部はコンベア装置の下流側にあり、前記表示付与手段は前記被処理カード溜め部と処理済カード溜め部の間に設けられていることを特徴とする。【００２２】
本発明では、予めカードの表面を削らずに新たな表示を付与する。これにより、元の表示（文字又は図形）は新たな表示によって上書きされる。新たな表示は、例えば、元の表示（文字又は図形）とは異なる色彩の文字や図形を採用すると、元の表示が若干上書きされずに残ったとしても、容易に識別することができる。よって、再生したカードを支障なく新たな用途で使用することができる。【００２３】
本発明のカード処理装置は、表示付与手段によって、カード表面に新たな表示を含む層を貼付することを特徴とする。
これにより、カード表面に新たな表示を簡単に付与することができる。
新たな表示を含む層は、遮光素材で構成するのが好ましい。これにより、カード表面の元の表示（文字又は図形）が確実に隠蔽される。
【発明の効果】
【００２４】
本発明のカード再生方法によると、カードの持つ機能をそのまま活用することができるので、再生品の価値が高い。また本発明のカード再生方法では、廃棄物の量が少ない。
すなわち、本発明のカード再生方法を実施して再生されたカードは、再生前に有していた基本的な機能（例えば、磁気記録機能等）をそのまま活用することができる。また本発明のカード再生方法を実施すると、廃棄物の量を低減することができる。
本発明のカード処理装置は、カードを簡単に再生することができる。また本発明のカード処理装置は、カードを再生不能に破壊することもできる。
【図面の簡単な説明】
【００２５】
【図１】本発明の実施形態のカード再生方法で使用するカード処理装置の斜視図である。
【図２】本発明の実施形態のカード再生方法の工程を示すカードの断面図である。（ａ）は、再生前のカードであって、塗装膜が除去される前の状態を示す断面図である。（ｂ）は、（ａ）のカードから塗装膜を除去した状態の断面図である。
【図３】本発明の実施形態のカード再生方法の工程を示すカードの斜視図である。（ａ）は、再生前のカードの斜視図である。（ｂ）は、カードの表面から文字「ＦＵＪＩＴＡ」を削除した状態のカードの斜視図である。（ｃ）は、（ｂ）のカードに新たな表示である文字「ＴＡＫＡＳＨＩ」を付与した状態のカードの斜視図である。
【図４】カードの表面及び裏面に印刷層を設ける場合の各工程における再生するカードの断面図である。（ａ）は、カードの本体である主体層の断面図である。（ｂ）は、主体層の表面及び裏面に印刷層を設けた状態のカードの断面図である。
【図５】カードの表面に無地の樹脂フィルムを貼りつける場合の各工程における再生するカードの斜視図である。（ａ）は、再生前の状態のカードの斜視図である。（ｂ）は、（ａ）のカードの表面に無地のフィルムを貼付する途中の状態のカードの斜視図である。（ｃ）は、フィルムの貼付が完了したカードの斜視図である。
【図６】カードの表面に予め印刷された樹脂フィルムを貼りつける場合の各工程における再生するカードの斜視図である。（ａ）は、再生前の状態のカードの斜視図である。（ｂ）は、（ａ）のカードの表面に新たな表示を有するフィルムを貼付する途中の状態のカードの斜視図である。（ｃ）は、フィルムの貼付が完了したカードの斜視図である。
【発明を実施するための最良の形態】
【００２６】
以下さらに本発明の実施形態について説明する。
図１は、本発明の実施形態のカード再生方法で使用するカード処理装置の斜視図である。図２は、本発明の実施形態のカード再生方法の工程を示している。図２（ａ）は、再生前のカード１０であって、塗装膜１５，１６が除去される前の状態を示す断面図である。図２（ｂ）は、（ａ）のカード１０から塗装膜１５，１６を除去した状態の断面図である。
図３は、本発明の実施形態のカード再生方法の工程を示している。図３（ａ）は、再生前のカード１０の斜視図である。図３（ｂ）は、カード１０の表面から文字「ＦＵＪＩＴＡ」を削除した状態のカードの斜視図である。図３（ｃ）は、図３（ｂ）のカード１０に新たな表示である文字「ＴＡＫＡＳＨＩ」を付与した状態のカードの斜視図である。【００２７】
本実施形態で使用するカード処理装置１は、図１の様にコンベア装置２を主体とするものであり、その上流端に被処理カード溜め部３が設けられ、コンベア装置１の下流に処理済カード溜め部５が設けられている。またコンベア装置２の中間部には、粗加工ロール６と、仕上げロール７が設けられている。粗加工ロール６は、具体的にはフライスであり、カードの表面を薄く切削するものである。
これに対して仕上げロール７は、研削ロールであり、カードの表面を研磨して平滑化させるものである。【００２８】
コンベア装置２の、仕上げロール７と処理済カード溜め部５の間には、表示付与手段３０が設けられている。表示付与手段３０には、カード１０をちょうど通すことができる大きさの通路３１が設けてある。通路３１の下流側には開口３１ａが設けてある。また、通路３１には、図示しないローラが上下に設けてある。このローラが回転することによってカード１０を通路３１内に引き込み、さらに開口３１ａから排出させることができる。図示していないが、カード１０が通路３１内に円滑に入るようにガイドを設け、このガイドに沿ってカード１０が通路３１内に導かれるようになっている。
後述するが、カード１０は、通路３１内で新たな表示（文字又は図形）が付与される。すなわち、新たな表示は、カード１０の表面に直接インクを吹き付ける（印刷する）ことによって付与してもよいし、また、予め表示が設けられたシート（フィルム２０）を接着させて付与してもよい。【００２９】
本実施形態では、使い古されたカード１０が、被処理カード溜め部３に投入される。なおカード１０には、図２，３の様にＩＣチップ１１が内蔵されている。また非接触型のカード１０であれば、図示しないアンテナ等も内蔵されている。
被処理カード溜め部３は、図示しない払出し装置を備え、カードを一枚ずつコンベア装置２に落とす。
コンベア装置２に落下されたカード１０は、コンベア装置２上を走行し、粗加工ロール６によって表面の図柄等が削り取られる。
即ちカード１０は、図２の様に樹脂の主体層１２を持ち、その内部又は表面にＩＣチップ１１が設けられている。そして最表面部及び最裏面部に塗膜層１５，１６が設けられ、この塗膜層１５，１６の表面にカード会社の名称等が表示されている。【００３０】
本実施形態では、コンベア装置２によって粗加工ロール６の部位に至ったカード１０は、粗加工ロール６によって表面の塗膜層１５だけが薄く削り取られる。なお塗膜層１５は、その全部が除去される必要はなく、塗膜層１５のさらに表面が削り取られるだけで足りる。
ここで重要な点は、粗加工ロール６によって表面の表示だけを削りとることであり、内部のＩＣチップ１１を傷つけてはならない。
従って粗加工ロール６の切り込み深さは、ＩＣチップ１１の位置に至らない深さに設定することが大切である。なおクレジットカードや銀行カードには、口座番号や店番号が組成変形させた凹凸形状によって表出されたものがあるが、この様なカードを処理する場合には凹凸形状が削り取られる程度の切り込み深さとすることが推奨される。なお図１に示す様なロール６，７によって表面を削り取る装置を使用すると、ロール６，７の押圧力によって凸状部分が凹み、逆方向に組成変形してカード１０が平坦形状に戻る。そのためカード１０の表面に凹凸が有ったとしても、実際に削り取られる量は、凹凸が無い場合に比べて大差はない。なおアンテナ等の他の機能部品が内蔵されたカードについては、凹凸形状（文字部分）は、アンテナ等の無い部分に設けられている。よって、凹凸を削り取っても機能を損なう恐れはない。【００３１】
そしてカード１０は続く仕上げロール７によって表面がより平滑化される。
上記した工程によって表面側の塗膜層１５が除去されるが、カード１０を裏返しにして再度上記した工程を繰り返し、裏面側の塗膜層１６についても除去する。【００３２】
表面側及び裏面側の仕上げが終了したカード１０の断面形状は、図２（ｂ）の通りである。図２に示すように、カード１０の表面及び裏面の塗膜層１５，１６だけが除去され、内部のＩＣチップ１１は無傷である。また図３（ｂ）の様に表面（及び裏面）の表示（文字：ＦＵＪＩＴＡ）は消去されている。【００３３】
再生したカード１０を使用する場合には、使用に先立って表面や裏面に必要な表示を設ける。再生したカード１０の表面に表示（文字や図等）を描く方策は任意であり、カード１０に直接印刷してもよく、予め印刷された樹脂フィルムや紙をカード１０の表面に貼ってもよい。カード１０に対する印刷は、一方の面だけであってもよく、両面であってもよい。
仕上げロール７を通過したカード１０は、表示付与手段３０において新たな表示が設けられる。【００３４】
カード１０に新たな表示を設ける様子を、図４を参照しながら説明する。図４は、カード１０の表面及び裏面に印刷層を設ける工程を示している。即ち図４（ａ）は、カード１０の本体である主体層１２の断面図であり、図４（ｂ）は、主体層１２の表面及び裏面に印刷層１８，１９を設けた状態のカード１０の断面図である。【００３５】
カード１０は、主体層１２の表面と裏面の少なくともいずれか一方に印刷層１８，１９が設けられて構成されている。この印刷層１８，１９には表示が包含されており、使用者はカード１０を識別することができる。しかし、図４（ａ）に示す主体層１２を、そのままカード１０として使用することもできる。すなわち、主体層１２の表面と裏面のうちの少なくともいずれか一方に表示を直接印刷する。【００３６】
詳しく説明すると、主体層１２にはＩＣチップ１１が埋設されている。図４（ａ）に示すカード１０は、情報が記録されたＩＣチップ１１が主体層１２の表面に露出しないように再生されている。すなわち、ＩＣチップ１１は破損することなく、情報記録機能を持ち続けている。また、図４（ａ）に示す主体層１２の表面に表示を直接印刷することにより、使用者がカード１０として識別することができるようになる。その結果、主体層１２自体が、カード１０としての機能を発揮することができるようになる。
また、図４（ｂ）に示すように、主体層１２の表面及び裏面（どちらか一方のみでも可）に印刷層１８，１９を積層することにより、カード１０を構成することも可能である。【００３７】
カード１０を例えばクレジットカードとして使用する場合には、新たに使用者に関する情報をＩＣチップ１１に書き込み、記憶させる。即ち記録機能を備えた部材（ＩＣチップ１１）の記録内容を変更する。【００３８】
以上説明した実施形態では、カード１０の表面を削ることによって表面の表示（文字：ＦＵＪＩＴＡ）を消したが、代わりに、強く擦ることによってこの表示を消すこともできる。
さらに図５に示すように、カード１０の表面に遮光素材のフィルム２０や紙を貼りつけることによってカード１０の表面の表示（文字：ＦＵＪＩＴＡ）を隠蔽することも可能である。図５（ａ）〜（ｃ）は、カード１０の表面に無地の樹脂フィルム２０を貼りつける場合の各工程におけるカード１０の斜視図である。
また図６に示すように、表示を隠蔽するフィルム２１（表示付与手段）に、予め別の表示（文字：ＴＡＫＡＳＨＩ）を印刷しておいてもよい。図６（ａ）〜（ｃ）は、カード１０の表面に予め表示（文字：ＴＡＫＡＳＨＩ）が印刷された樹脂フィルム２１を貼付する場合の各工程におけるカード１０の斜視図である。【００３９】
上記実施形態では、カード処理装置１によってカード１０の表示部分だけを削り取ったが、カード処理装置１を使用してカードを使用不能に破壊することもできる。即ちカード処理装置１の粗加工ロール６や仕上げロール７の切り込み深さを大きくしてＩＣチップ１１を破壊することもできる。
その結果、ＩＣチップ１１は再生不可能な状態に破壊され、例えＩＣチップ１１に個人情報等が残っていたとしてもこれを読みだすことはできない。そのため個人情報等の秘密が保たれる。【００４０】
また切り込み深さを適度に調節することにより、ＩＣチップ１１を捲り取ることもできる。ＩＣチップ１１が捲り取られたカード１０は、樹脂部分だけとなるので、粉砕し、再生原料として使用することができる。
カード処理装置１をカードの破壊に使用する場合には、粗加工ロール６や仕上げロール７に代わって丸鋸歯や帯鋸歯の様な切削工具を使用することもできる。また工具を任意のものに取り替えることができる様な構成であってもよい。
【産業上の利用可能性】
【００４１】
本発明は、使用済みのカードを再利用する際に利用可能である。使用済みのカードとは、クレジットカードやＩＤカードあるいは交通機関の定期券等の各種の情報が記録されている不用なカードである。これらの使用済みのカードには、使用目的に応じた情報を記録した媒体が内蔵されている。すなわち、本発明は、使用済みのカードが悪用されないように破壊したり、別目的で使用するために再生する際に利用可能である。
【図１】
2007069476.tif 000003
【図２】
2007069476.tif 000004
【図３】
2007069476.tif 000005
【図４】
2007069476.tif 000006
【図５】
2007069476.tif 000007
【図６】
2007069476.tif 000008
【国際調査報告】
2007069476.tif 000009
2007069476.tif 000010